(57)【要約】【課題】意匠性及び強度を保持しつつ、従来よりも省エネルギー性能を向上させる冷蔵庫を提供する。【解決手段】開口部５０Ａが形成された断熱箱体５０と、開口部５０Ａを覆う扉２０と、を備え、扉２１は、少なくとも意匠面を構成する金属製の外側部材６Ａと、外側部材６Ａよりも開口部５０Ａ側に形成された樹脂製の内側部材６Ｂと、外側部材６Ａと内側部材６Ｂとの間に設けられる樹脂製の中間部品７と、を有する。【選択図】図３
2015068511.tif 000002
【特許請求の範囲】
【請求項１】
開口部が形成された断熱箱体と、
前記開口部を覆う扉と、を備え、
前記扉は、
少なくとも意匠面を構成する金属製の第１部材と、
前記第１部材よりも前記開口部側に形成された樹脂製の第２部材と、
前記第１部材と前記第２部材との間に設けられる断熱部材と、を有する
ことを特徴とする冷蔵庫。
【請求項２】
前記断熱部材として、
真空断熱材、発泡断熱材、並びに前記扉の幅方向端部において前記第１部材及び前記第２部材を接続する樹脂製の中間部品のうち少なくとも何れかを備えた
ことを特徴とする請求項１に記載の冷蔵庫。
【請求項３】
前記断熱部材として、少なくとも前記中間部品を備えたものにおいて、
前記第１部材と前記中間部品とが樹脂製の接続部材で結合される
ことを特徴とする請求項２に記載の冷蔵庫。
【請求項４】
前記断熱部材として、少なくとも前記中間部品を備えたものにおいて、
前記第１部材は第１部材側係合部を有し、
前記中間部品は中間部品側係合部を有し、
前記第１部材側係合部と前記中間部品側係合部とが係合することで、前記第１部材と前記中間部品とが結合される
ことを特徴とする請求項２に記載の冷蔵庫。
【請求項５】
前記第１部材側係合部及び前記中間部品側係合部の一方には爪が設けられ、
前記第１部材側係合部及び前記中間部品側係合部の他方にはスリットが設けられ、
前記爪が前記スリットに挿入され、前記第１部材側係合部と前記中間部品側係合部とが係合することで、前記第１部材と前記中間部品とが結合される
ことを特徴とする請求項４に記載の冷蔵庫。
【請求項６】
前記第１部材は、前記扉の側面から内方に折れ曲がって形成された曲げ部を有し、
前記中間部品は、前記扉の側面から内方に折れ曲がって形成された接続部を有し、
前記曲げ部と前記接続部とが前記接続部材で結合される
ことを特徴とする請求項３に記載の冷蔵庫。
【発明の詳細な説明】
【技術分野】
【０００１】
本発明は、冷蔵庫に関する。
【背景技術】
【０００２】
従来の冷蔵庫は、断熱箱体及び扉を備え、断熱箱体の内部に真空断熱材を設置することで、冷蔵庫の断熱性能を向上させるようにしている。市場においては、さらに高い断熱性能を有することで省エネルギー性能の高い冷蔵庫が要求されているため、断熱箱体及び扉の断熱性能をさらに向上させることが望まれている。
【０００３】
そこで、金属製の外箱及び樹脂製の内箱を有する断熱箱体と、観音開き型の扉と、を備えた冷蔵庫が提案されていた（例えば特許文献１）。
【先行技術文献】
【特許文献】
【０００４】
【特許文献１】特開２０１３−２７０２号公報（第５頁、図１、図２）
【発明の概要】
【発明が解決しようとする課題】
【０００５】
特許文献１記載の冷蔵庫は、断熱箱体の断熱構造を改良するものであるが、扉の断熱構造を改良することについては考慮されていない。ここで、扉における熱ロスは、主に真空断熱材を設置できない箇所で主に発生する。このため、このような箇所における外部から内部への熱進入を低減する必要がある。
【０００６】
また、扉が外側部材（外箱）及び内側部材（内箱）で構成される場合において、外側部材が金属で構成されると、高温の外気や霜取りのために高温となる凝縮パイプの熱が、金属製の外側部材を伝わり、冷蔵庫の内部に熱を伝えるヒートブリッジ効果が生じる場合があった。このような場合においては、冷蔵庫は温度を下げるように運転を行うため、より多くの電力を消費し、省エネルギー性能が悪化する可能性があった。
【０００７】
なお、ヒートブリッジ効果を抑制するために、金属よりも熱伝導率の低い樹脂で扉の外側部材を構成することも考えられる。しかしながら、扉の外側部材は意匠面となるため、使用者にとって一層高級感を感じやすい金属で扉の外側部材を構成することが望ましい。また、扉は、例えば数十万回に及んで開閉が繰り返されるため、開閉時の衝撃に耐えうるよう、一層強度の強い金属で扉の外側部材を構成することが望ましい。
【０００８】
本発明は、上述のような課題を背景としてなされたものであり、意匠性及び強度を保持しつつ、従来よりも省エネルギー性能を向上させる冷蔵庫を提供することを目的とする。
【課題を解決するための手段】
【０００９】
本発明に係る冷蔵庫は、開口部が形成された断熱箱体と、前記開口部を覆う扉と、を備え、前記扉は、少なくとも意匠面を構成する金属製の第１部材と、前記第１部材よりも前記開口部側に形成された樹脂製の第２部材と、前記第１部材と前記第２部材との間に設けられる断熱部材と、を有するものである。
【発明の効果】
【００１０】
本発明によれば、扉は、少なくとも意匠面を構成する金属製の第１部材と、第１部材よりも開口部側に形成された樹脂製の第２部材と、第１部材と樹脂製の第２部材との間に設けられる断熱部材が設けられている。このため、意匠性及び強度を保持しつつ、従来よりも断熱性能を向上させることができる。したがって、意匠性及び強度を保持しつつ、従来よりも省エネルギー性能を向上させることができる。
【図面の簡単な説明】
【００１１】
【図１】本発明の実施の形態に係る冷蔵庫１００の全体斜視図である。
【図２】図１のＡ部分の横断面図である。
【図３】図２のＢ部分の部分拡大図である。
【図４】図２のＢ部分の部分拡大図であり、本発明の実施の形態の別の例を示す図である。
【発明を実施するための形態】
【００１２】
実施の形態１．
図１は本発明の実施の形態に係る冷蔵庫１００の全体斜視図である。図１に示されるように、冷蔵庫１００は、食品等を収納する貯蔵室として、最上段に設けられた冷蔵室１と、冷蔵室１の下側に左右に並べて設けられた切替室２及び製氷室３と、切替室２及び製氷室３の下側に設けられた冷凍室４と、冷凍室４の下側に設けられた野菜室５とを有する。冷蔵庫１００は、その外郭が断熱箱体５０で構成されている。断熱箱体５０の前面には開口部５０Ａが形成されている。
【００１３】
断熱箱体５０には、開口部５０Ａを開閉可能に閉塞する扉が取り付けられる。冷蔵室１には、例えば観音開き式の扉２１が設けられている。また、切替室２には、例えば引き出し式の扉２２が設けられている。また、製氷室３には、例えば引き出し式の扉２３が設けられている。また、冷凍室４には、例えば引き出し式の扉２４が設けられている。また、野菜室５には、例えば引き出し式の扉２５が設けられている。以後、扉２１，２２，２３，２４を扉２０と総称することがある。
【００１４】
なお、冷蔵庫１００の形態はこれにかかわらず、例えば切替室２、製氷室３が設けられていないもの、冷凍室４と野菜室５との位置が逆のものなど、冷蔵庫１００の形態は上述した構成に限定されない。
【００１５】
図２は図１のＡ部分の横断面図である。図３は図２のＢ部分の部分拡大図である。
図２に示されるように、扉２１は、金属製の外側部材６Ａと、樹脂製の内側部材６Ｂと、発泡断熱材９と、真空断熱材１０と、を備える。断熱箱体５０は、発泡断熱材９と、真空断熱材１０と、を備える。図３に示されるように、扉２１には、外側部材６Ａと内側部材６Ｂとの間に設けられる樹脂製の中間部品７と、外側部材６Ａ及び中間部品７を狹持する樹脂クリップ８とが設けられる。すなわち、扉２１は、外側部材６Ａ、内側部材６Ｂ、及び中間部品７が組み合わされることで箱状の部材が出来上がり、その内部には空間が形成される。図３に示されるように、外側部材６Ａと内側部材６Ｂとの間で且つ内側部材６Ｂの幅方向端部には、開口部３０が形成されている。
【００１６】
なお、外側部材６Ａが本発明の第１部材に相当し、内側部材６Ｂが本発明の第２部材に相当する。また、上述の記載及び図面は、扉２１の左側を例に示したものであるが、扉２１の右側についても、扉２１の左側と対称となっていることを除き同様の構造となっている。
【００１７】
発泡断熱材９は、例えばウレタン等に発泡剤が添加され、外側部材６Ａ、内側部材６Ｂ、及び中間部品７で形成される空間に充填される。また、発泡断熱材９は、断熱箱体５０の内部の空間に充填される。真空断熱材１０は、例えば矩形板状に形成された複数の真空断熱パネルを連設して形成される。このように、扉２１及び断熱箱体５０の内部に、発泡断熱材９及び真空断熱材１０が設けられることで、扉２１及び断熱箱体５０の断熱効果が確保される。
【００１８】
外側部材６Ａは、少なくとも扉２１の意匠面を構成する部材である。外側部材６Ａは、開口部５０Ａよりも手前側で、扉２１の側面から内方に折り曲げられ、曲げ部６１が形成される。曲げ部６１が形成されることで、扉２１の剛性が確保される。曲げ部６１は、例えば扉２０の前面部を構成する部位と平行になるように形成される。曲げ部６１は、曲げ部前面６１ａ及び曲げ部背面６１ｂを備える。内側部材６Ｂは、外側部材６Ａよりも冷蔵庫１００の背面側（開口部５０Ａ側）に設けられている。内側部材６Ｂには、冷蔵庫１００の背面側に突出する突出部６Ｂ１が設けられている。
【００１９】
中間部品７は、外側部材６Ａと内側部材６Ｂとを接続する横断面Ｕ字形状の部材である。中間部品７は、扉２１の内部に設けられた状態で開口部３０を覆う。中間部品７は、扉２１の側面から内方に折り曲げられ、曲げ部６１に沿って形成された接続部７１を有する。接続部７１は、例えば曲げ部６１と平行に形成される。接続部７１は、接続部前面７１ａ及び接続部背面７１ｂを備える。中間部品７は、曲げ部背面６１ｂと接続部前面７１ａとが当接するように設けられる。外側部材６Ａ、内側部材６Ｂ、及び中間部品７が組み合わされることで、扉２１となる箱状の部材が構成される。
【００２０】
なお、曲げ部６１が本発明の第１部材側係合部に相当し、接続部７１が本発明の中間部品側係合部に相当する。また、中間部品７、発泡断熱材９、及び真空断熱材１０が、本発明の断熱部材に相当する。
【００２１】
樹脂クリップ８は、例えば横断面Ｕ字形状の部材である。樹脂クリップ８は、扉２１に設けられた状態で、曲げ部前面６１ａを冷蔵庫１００の背面側に圧力を付与し、接続部背面７１ｂを冷蔵庫１００の前面側に圧力を付与し、外側部材６Ａ及び内側部材６Ｂを挟み込む。これにより、発泡断熱材９が外側部材６Ａと中間部品７との間から漏れることを抑制でき、断熱効果を向上させることができる。なお、樹脂クリップ８が本発明の接続部材に相当する。
【００２２】
ここで、中間部品７を設けず、外側部材６Ａと内側部材６Ｂとを直接接続する場合には、外側部材６Ａが、比較的（例えば樹脂製のものよりも）熱伝導性の高い金属製であるため、外気は、外側部材６Ａを通って断熱箱体５０の内部に侵入しやすくなる。
【００２３】
これに対して、実施の形態１に係る冷蔵庫１００は、開口部５０Ａが形成された断熱箱体５０と、開口部５０Ａを覆う扉２０と、を備え、扉２０は、少なくとも意匠面を構成する金属製の外側部材６Ａと、外箱よりも開口部５０Ａ側に形成された樹脂製の内側部材６Ｂと、外側部材６Ａと内側部材６Ｂとの間に設けられる樹脂製の中間部品７と、を有する。このため、外側部材６Ａを通過した外気は、金属よりも熱伝導性の低い樹脂製の中間部品７を経由して、断熱箱体５０の内部に達する。また、外側部材６Ａは、従来と同様に金属で構成されるため、樹脂製のものと比較して意匠性が良い寸法制約内に収まる構造で熱の進入を抑制することができる。したがって、意匠性及び強度を保持しつつ、従来よりも断熱性能を向上させることができる。以上のようにして、意匠性及び強度を保持しつつ、従来よりも省エネルギー性能を向上させることができる。
【００２４】
また、樹脂クリップ８は、形状が簡素で小型であるために組立性が良く、厚みが薄い扉にも設置できる。また、外側部材６Ａが金属で構成され、曲げ部６１を有するため、扉２０の開閉によるひねり荷重に対して十分な剛性を確保できる。
【００２５】
なお、本実施の形態では、冷蔵室１に対応する扉２１を例に説明したが、他の貯蔵室に対応する扉についても同様である。すなわち、切替室２に対応する扉２２、製氷室３に対応する扉２３、冷凍室４に対応する扉２４、及び野菜室５に対応する扉２５についても、冷蔵室１に対応する扉２１と同様の構成を適用することで、上述した本実施の形態の効果と同様の効果を得ることができる。
【００２６】
図４は、図２のＢ部分の部分拡大図であり、本発明の実施の形態の別の例を示す図である。図４に示されるように、樹脂クリップ８を排除して、外側部材６Ａの曲げ部６１にスリット６２を作成し、中間部品７の接続部７１に鈎状の爪７２を設けるようにしてもよい。このように構成すれば、爪７２をスリット６２に挿入することで、外側部材６Ａと中間部品７とを結合することができる。このため、発泡断熱材９が外側部材６Ａと中間部品７との間から漏れることを抑制でき、断熱効果を向上させることができる。また、外側部材６Ａと中間部品７とを結合する際に、樹脂クリップ８を用いる必要がなくなるため、部品点数及び組立工数を削減することができる。したがって、コスト削減を図ることができる。
【００２７】
なお、スリット６２及び爪７２を冷蔵庫１００の高さ方向に複数箇所形成することが望ましい。このように構成すれば、スリット６２及び爪７２を設けた箇所のそれぞれにおいて、発泡断熱材９が外側部材６Ａと中間部品７との間から漏れることを抑制できるため、断熱効果を一層発揮することができる。
【００２８】
また、外側部材６Ａの曲げ部６１に爪部を形成し、中間部品７の接続部７１に穴部を形成し、当該爪部を当該穴部に挿入するように構成してもよい。このように構成しても、上述した本実施の形態の効果と同様の効果を奏することができる。
【００２９】
また、本実施の形態においては、中間部品７、発泡断熱材９、及び真空断熱材１０が設けられる例について説明したが、少なくともいずれか１つの部材が設けられるように構成してもよく、この場合においても、従来よりも扉２１の断熱性能を向上させることができるため、省エネルギー性能を向上させることができる。
【符号の説明】
【００３０】
１  冷蔵室、２  切替室、３  製氷室、４  冷凍室、５  野菜室、６Ａ  外側部材、６Ｂ  内側部材、６Ｂ１  突出部、７  中間部品、８  樹脂クリップ、９  発泡断熱材、１０  真空断熱材、２０，２１，２２，２３，２４，２５  扉、３０  開口部、５０  断熱箱体、５０Ａ  開口部、６１  曲げ部  ６１ａ  曲げ部前面、６１ｂ  曲げ部背面、６２  スリット、７１  接続部、７１ａ  接続部前面、７１ｂ  接続部背面、７２  爪、１００  冷蔵庫。
【図１】
2015068511.tif 000003
【図２】
2015068511.tif 000004
【図３】
2015068511.tif 000005
【図４】
2015068511.tif 000006